(57)【要約】【課題】可動台に直接手を触れることなく、可動棚の前面側に設けたスライドつまみを操作することにより大きな力を要することなく自動的に可動台を回転させて、冷蔵庫の奥に収納された食材等を手前に引き寄せることのできる可動棚を備えた冷蔵庫を提供する。【解決手段】基台１１と、基台１１に回転可能に設置された可動台４０と、駆動ローラ部２３及び一対の補助ローラ部３０ａ，３０ｂとの間にベルト３５が掛けられて可動台４０を支持し駆動する駆動手段を有し基台１１に結合された固定台２０と、基台１１の前面側から駆動手段を操作する操作手段３８とからなる可動棚１０を備えたものである。【選択図】図３
2010156526.tif 000002
【特許請求の範囲】
【請求項１】
基台と、該基台に回転可能に設置された可動台と、駆動ローラ部及び一対の補助ローラ部との間にベルトが掛けられて前記可動台を支持し駆動する駆動手段を有し前記基台に結合された固定台と、前記基台の前面側から前記駆動手段を操作する操作手段とからなる可動棚を備えたことを特徴とする冷蔵庫。
【請求項２】
天板に円形の開口部が形成され、前面側の周壁にスライド穴が設けられた基台と、
底板の中央部に駆動ローラ部が設けられ前面側の角部にそれぞれ補助ローラ部が設けられて、これらの間にベルト固定体が取付けられたベルトが掛けられ、前記基台に結合された固定台と、
前記基台の開口部に回転可能に配設され、その中心部が前記固定台の駆動ローラ部に回転不能に連結された可動台とを有し、
前記基台の前面側からスライド穴を介して前記ベルト固定体にスライドつまみを固定してなる可動棚を備えたことを特徴とする冷蔵庫。
【発明の詳細な説明】
【技術分野】
【０００１】
本発明は、冷蔵庫に係り、より詳しくは可動棚を備えた冷蔵庫に関するものである。
【背景技術】
【０００２】
従来の冷蔵庫に、冷気循環用の通孔を有する棚本体と、冷気循環用の通孔を有し上記棚本体に重合した位置から回動して引出可能に取付けられた可動棚と、上記棚本体及び可動棚にこの可動棚を回動するように設けられたヒンジ部と、上記棚本体及び可動棚間に可動棚が回動したときに可動棚の荷重を支持するように設けられた溝穴及びこれに係合する係止片とを備えたものがある（例えば、特許文献１参照）。
【先行技術文献】
【特許文献】
【０００３】
【特許文献１】実公昭６２−１３０３８８号公報（第５−６頁、図１−３）
【発明の概要】
【発明が解決しようとする課題】
【０００４】
特許文献１に開示された冷蔵庫の棚装置は、手動によって直接可動棚を動かすようにしているため、面倒であるばかりでなく、可動可能領域を超えた力がかかり、装置自体にダメージを与えて故障するおそれがあった。また、収納した食材等の重量負荷によって、手動ではスムーズに動かせないこともあった。
【０００５】
本発明は、上記の課題を解決するためになされたもので、可動台に直接手を触れることなく、可動棚の前面側に設けたスライドつまみを操作することにより、大きな力を要することなく自動的に可動台を回転させて、冷蔵庫の奥に収納された食材等を手前に引き寄せることのできる可動棚を備えた冷蔵庫を提供することを目的としたものである。
【課題を解決するための手段】
【０００６】
本発明に係る冷蔵庫は、基台と、該基台に回転可能に設置された可動台と、駆動ローラ部及び一対の補助ローラ部との間にベルトが掛けられて前記可動台を支持し駆動する駆動手段を有し前記基台に結合された固定台と、前記基台の前面側から前記駆動手段を操作する操作手段とからなる可動棚を備えたものである。
【発明の効果】
【０００７】
本発明は、可動棚の前面側から操作手段を操作することにより可動台が回転し、可動台の奥にある食材等を手前に引き寄せることができるのできわめて便利であり、庫内に収納された食材等に影響を与えることもない。
また、可動台は中心部が駆動手段に支持されているので、食材等による重量負荷がかかっても安定して回転させることができる。
【図面の簡単な説明】
【０００８】
【図１】本発明の一実施の形態に係る冷蔵庫の扉を開いた状態を示す説明図である。
【図２】図１の可動棚の斜視図である。
【図３】図２の分解斜視図である。
【図４】図３の要部拡大図である。
【図５】図３の固定台への可動台の取付構造の説明図である。
【図６】図３のベルトの駆動手段の説明図である。
【発明を実施するための形態】
【０００９】
図１は本発明の一実施の形態に係る冷蔵庫の扉を開いた状態を示す説明図である。
冷蔵庫本体１の前面開口部には観音開きの扉２，３が設けられており、両扉２，３の内側にはサイドポケット４，５が設けられている。１０は冷蔵庫本体１の対向する内壁に固定され、又は内壁に設けた支持台（図示せず）に出し入れ可能に載置された棚で、これら複数の棚１０のうち少なくとも１つは本発明に係る可動棚で構成されている。よって以下の説明では、可動棚を符号１０で示す。
【００１０】
図２は図１の可動棚の斜視図、図３は図２の分解斜視図、図４は図３の要部拡大図である。
１１は天板１２と周壁１３からなり、下部が開口され、天板１２に円形の開口部１４が設けられ、前面側の周壁１３にスライド穴１５が設けられた可動棚１０を構成する基台で、冷蔵庫１の内壁に固定される。なお、この基台１１は、冷蔵庫１の内壁に設けた支持台（図示せず）に出し入れ可能に載置してもよい。
【００１１】
２０は底板２１と、基台１１の周壁１３の内のりとほぼ等しい外形の周壁２２を有し、上部が開口された固定台である。２３は底板２１の中心部に設けられた駆動ローラ部で、図４、図５に示すように、底板２１に立設固定された支持軸２４と、この支持軸２４に直接又は軸受を介して回転自在に支持された駆動ローラ２５と、駆動ローラ２５の上面に突設された駆動ローラ２５より小径の嵌合突部２６とからなり、嵌合突部２６の中心部にはねじ穴２７が設けられ、外周の軸方向にはキー２８が設けられている。
【００１２】
３０ａ，３０ｂは固定台２０の底板２１の前面側両角部に設けられた第１、第２の補助ローラ部で、底板２１に立設された支持軸３１、この支持軸３１に直接又は軸受を介して回転自在に支持された補助ローラ３２及び補助ローラ３２の上面に突設された突部３３からなっている。
【００１３】
３５は駆動ローラ部２３の駆動ローラ２５と、第１、第２の補助ローラ部３０ａ，３０ｂの補助ローラ３２に掛けられた平ベルトである。３６は図６に示すように、固定台２０の前面側において、例えば、係止爪３７によりベルト３５に固定されたベルト固定体、３８はベルト固定体３６に固定する固定軸３９を有し、操作手段を構成するスライドつまみである。
【００１４】
４０は基台１１の開口部１４の内径より若干大径で円形の可動台で、下面にはその外径が基台１１の開口部１４の内径とほぼ等しく、開口部１４に回動可能に嵌合される円形の嵌合リブ４１が設けられている。４２は可動台４０の中心部に設けられて、図５に示すように、固定台２０の駆動ローラ部２３の嵌合突部２６に嵌合する嵌合穴で、キー溝４３が設けられている。４４は可動台４０の嵌合穴４２を介して、駆動ローラ部２３の嵌合突部２６に設けたねじ穴２７に螺入するねじ部４５を有する止めねじで、嵌合穴４２より大径の頭部を備えている。
【００１５】
次に上記のように構成した可動棚１０の組立て手順の一例について説明する。なお、固定台２０には駆動ローラ部２３及び第１、第２の補助ローラ部３０ａ，３０ｂが設けられて、これらの間に平ベルト３５が掛けられ、平ベルト３５にはベルト固定体３６が取付けられているものとする。
【００１６】
先ず、固定台２０の周壁２２の外側に上方から基台１１の周壁１３を嵌合し、補助ローラ部３０ａ，３０ｂの突部３３を基台１１の天板１２に設けた嵌合穴１６に嵌合して回転可能に支持させ、嵌合穴１６を蓋板（図示せず）で閉塞する。なお、天板１２の下面に軸受を設け、この軸受により補助ローラ部３０ａ，３０ｂの突部３３を支持するようにしてもよい。ついで、基台１１の前面側周壁１３に設けたスライド穴１５に、前面側からスライドつまみ３８の固定軸３９を挿入し、スライド穴１５の背面側に位置するベルト固定体３６にねじ止め等により固定する。このとき、駆動ローラ部２３は、基台１１の開口部１４の中心部に位置する。
【００１７】
次に、可動台４０を基台１１上に位置させてその嵌合穴４２を駆動ローラ部２３の嵌合突部２６と整合させ、キー溝４３をキー２８に係合させて可動台４０を下降させる。これにより、嵌合穴４２が嵌合突部２６に嵌合して結合されると共に、可動台４０の嵌合リブ４１が開口部１４に嵌合し、可動台４０は駆動ローラ部２３に、軸方向には移動できるが回転不能に保持される。
【００１８】
そして、止めねじ４４のねじ部４５を可動台４０の嵌合穴４２から挿入して、駆動ローラ部２３の嵌合突部２６に設けたねじ穴２７に螺入し、その頭部を可動台４０の上面に当接させる。なお、嵌合穴４２の周囲に凹部を設け、止めねじ４４の頭部を凹部内に入れて上面を平坦にしてもよい。
このようにして組立てられた可動棚１０は、冷蔵庫１内に収容されてその基台１１が冷蔵庫１の内壁に固定され、又は内壁に設けた支持台に出し入れ可能に載置される。
【００１９】
次に、本実施の形態に係る冷蔵庫の可動棚１０の作用を説明する。
図２において、スライドつまみ３８をスライド穴１５に沿って例えば矢印方向にスライドさせると、ベルト固定体３６を介してスライドつまみ３８と一体化された平ベルト３５は、図３に示すように矢印方向に移動し、これが掛けられた駆動ローラ部２３の駆動ローラ２５及び第１、第２の補助ローラ部３０ａ，３０ｂの補助ローラ３２を回転させる。
駆動ローラ部２３の駆動ローラ２５が回転すると、駆動ローラ２５の回転に伴ってキー２８とキー溝４３とによって一体化された可動台４０も図２の矢印方向に回転する。なお、スライドつまみ３８を反対方向に移動させれば、可動台４０は反矢印方向に回転する。
【００２０】
上記の説明では、底板２１を有する固定台２０と板状の可動台４０とにより可動棚１０を構成した場合を示したが、これら固定台２０の底板２１と可動台４０に、多数の通気孔を設けて冷気が流通するようにしてもよい。
また、駆動ローラ部２３と補助ローラ部３０ａ，３０ｂとの間に平ベルト３５を掛けた場合を示したが、タイミングベルトあるいはチェーンを用いてもよい。
【００２１】
また、駆動ローラ部２３と可動台４０とを、キー２８とキー溝４３とにより連結した場合を示したが、例えばスプライン結合によるなど、他の手段を用いてもよい。
さらに、本発明に係る可動棚１０を図１に示す冷蔵庫に適用した場合を示したが、これに限定するものではなく、他の構造の冷蔵庫にも本発明を実施することができる。
【００２２】
本実施の形態によれば、スライドつまみ３８をスライド穴１５に沿って移動することにより可動台４０が回転し、可動台４０の奥にある食材等を手前に引き寄せることができるので、きわめて便利である。また、スライドつまみ３８は可動棚１０の前面部に設けられているので、庫内に収容された食材等に影響を与えることなく、スライドつまみ３８を操作して可動台４０を回転させることができる。さらに、可動台４０は固定台２０の中心に設けた駆動ローラ部２３に固定されているため、食材等による重量負荷がかかっても安定して回転させることができる。
【００２３】
また、スライドつまみ３８は可動棚１０の前面部に設けられているので、食材等の収納位置に左右されることなく手早く操作して可動台４０を回転させることができるため、きわめて使い易い。さらに、可動台４０の外径は基台１１の開口部１４の内径より若干大きく形成されているので、止めねじ４４を外して開口部１４から外れた部分を持って引き上げることにより、容易に取外すことができるので、清掃等の場合に便利である。これらにより、使い勝手のよい冷蔵庫を得ることができる。
【符号の説明】
【００２４】
１  冷蔵庫、１０  可動棚、１１  基台、１２  天板、１３  周壁、１４  開口部、１５  スライド穴、２０  固定台、２１  底板、２３  駆動ローラ部、２５  駆動ローラ、２６  嵌合突部、２７  ねじ穴、２８  キー、３０ａ，３０ｂ  補助ローラ部、３２  補助ローラ、３５  ベルト、３６  ベルト固定体、３８  スライドつまみ、４０  可動台、４１  嵌合リブ、４２  嵌合穴、４３  キー溝、４４  止めねじ。
【図１】
2010156526.tif 000003
【図２】
2010156526.tif 000004
【図３】
2010156526.tif 000005
【図４】
2010156526.tif 000006
【図５】
2010156526.tif 000007
【図６】
2010156526.tif 000008